(57)【特許請求の範囲】
【請求項１】
中心軸の上端部に一端が枢着された複数本の親骨と、前記親骨の外側に張設された傘布と、前記中心軸に摺動自在に設けたロクロと、前記ロクロに一端が枢着されて他端が前記親骨の略中間部に枢着された前記親骨と等しい数の支骨とを備え、前記ロクロの上下動によって開閉する傘において、
前記傘布の下端部に設けられた複数の貫通部と、前記親骨の下端部に設けられた第一掛止部と、前記第一掛止部を貫通し、少なくとも一部が前記親骨に沿うように配設された紐状部材とを備え、
前記紐状部材は、一端が隣り合う親骨の下端部に固定され、他端は前記ロクロまたは前記支骨に固定される固定部となっており、少なくとも一部が前記傘布に設けられた複数の貫通部を貫通している
ことを特徴とする傘。
【請求項２】
請求項１に記載の傘であって、
前記中心軸の上端部に枢着される複数の補助部材と、前記親骨のうち前記支骨が枢着される部分の近傍に設けられる第二掛止部とを備え、
前記紐状部材は、前記他端が前記ロクロまたは前記支骨に固定されるとともに、前記第一掛止部および前記第二掛止部を貫通し少なくとも一部が前記親骨および前記支骨に沿うように配設されるものであり、
前記補助部材は、当該傘の開閉の際、前記紐状部材のうち前記支骨に沿うように配設される部分を湾曲させて保持する
ことを特徴とする傘。
【請求項３】
請求項１または２に記載の傘であって、
前記固定部は、前記紐状部材が弾性部材を介して前記ロクロまたは前記支骨に固定されている
ことを特徴とする傘。
【請求項４】
請求項１または３に記載の傘であって、
前記紐状部材は、前記第一掛止部および前記第二掛止部に加えて、前記中心軸の上端部に設けられた第三掛止部を貫通している
ことを特徴とする傘。
【請求項５】
請求項１〜４のいずれか一項に記載の傘であって、
前記紐状部材は、前記中心軸または前記支骨の内部を貫通し、前記他端が前記ロクロに固定されている
ことを特徴とする傘。
【発明の詳細な説明】
【技術分野】
【０００１】
本発明は、傘に関する。
【背景技術】
【０００２】
従来、中心軸と、中心軸の一端に枢着された複数本の親骨と、中心軸の他端に固定された持ち手と、親骨の外側に張設された傘布と、中心軸に摺動自在に設けられたロクロと、一端がロクロに枢着され、他端が親骨の略中間部に枢着された支骨とを含んで構成される傘が使用されている。このような傘は、ロクロの上下動によって開閉する。すなわち、ロクロが中心軸の上端部近傍にあるときには開かれた状態となり、ロクロが中心軸の下端部近傍にあるときには、閉じられた状態となる。なお、本明細書では、中心軸の持ち手側の端部を「下端部」とし、親骨が枢着される側の端部を「上端部」とする。
【０００３】
ところで、このような傘は、閉じられたときに傘布が外部に垂れるため、多くの場合、閉じたときに傘布を中心軸に巻き付けるためのネームバンドが取り付けられている。
しかしながら、ネームバンドを用いて傘布を中心軸に巻き付けるためには、傘布に触れなければならないため、使用者の手が濡れてしまう。そこで、傘を閉じる際、傘布が中心軸に自動的に巻き付くように、傘布に弾性部材を取り付けた傘が発明されている（例えば、特許文献１参照）。
【先行技術文献】
【特許文献】
【０００４】
【特許文献１】特開２０１０−１０４７３４号公報
【発明の概要】
【発明が解決しようとする課題】
【０００５】
しかしながら、特許文献１に記載の傘は、構造が複雑であり、構成部品が多い。このため、傘の重量が大きくなる等、持ち運びには不便なものとなっていた。
本発明は、上記従来技術の問題を解決するためになされたものであって、簡易な構成で、傘布が外部に垂れないよう折り畳みながら閉じることができる傘を提供することを課題とする。
【課題を解決するための手段】
【０００６】
本発明の第一態様は、中心軸の上端部に一端が枢着された複数本の親骨と、前記親骨の外側に張設された傘布と、前記中心軸に摺動自在に設けたロクロと、前記ロクロに一端が枢着されて他端が前記親骨の略中間部に枢着された前記親骨と等しい数の支骨とを備え、前記ロクロの上下動によって開閉する傘において、前記傘布の下端部に設けられた複数の貫通部と、前記親骨の下端部に設けられた第一掛止部と、前記第一掛止部を貫通し、少なくとも一部が前記親骨に沿うように配設された紐状部材とを備え、前記紐状部材は、一端が隣り合う親骨の下端部に固定され、他端は前記ロクロまたは前記支骨に固定される固定部となっており、少なくとも一部が前記傘布に設けられた複数の貫通部を貫通していることを特徴とする。
【０００７】
同構成では、傘が閉じられる際、ロクロが中心軸の下端部に向けて摺動することで、隣り合う親骨間の距離が小さくなる一方、紐状部材が固定部に向けて第一掛止部から引き出される。紐状部材は、親骨に沿うように配設されるとともに、傘布に設けられた複数の貫通部を貫通し、隣り合う親骨の下端部に一端が固定されている。このため、第一掛止部から引き出されると、隣り合う親骨間を接続する部分が短くなる。このように、紐状部材のうち隣り合う親骨間を接続する部分が短くなるとともに、隣り合う親骨間の距離が小さくなると、傘布は、蛇腹状に折り畳まれながら親骨の間に収容される。このように、同構成によれば、簡易な構成で、傘布が外部に垂れないよう折り畳みながら閉じることができる傘を提供することができる。
【０００８】
なお、貫通部に関しては、傘布に直接貫通孔を設け、これらを貫通部としてもよい。または、紐状部材を保持することができる形状の部材、例えば環形状の部材を傘布に複数取り付け、これを貫通部としてもよい。
【０００９】
本発明の第二態様は、第一態様にかかる傘であって、前記中心軸の上端部に枢着される複数の補助部材と、前記親骨のうち前記支骨が枢着される部分の近傍に設けられる第二掛止部とを備え、前記紐状部材は、前記他端が前記ロクロまたは前記支骨に固定されるとともに、前記第一掛止部および前記第二掛止部を貫通し少なくとも一部が前記親骨および前記支骨に沿うように配設されるものであり、前記補助部材は、当該傘の開閉の際、前記紐状部材のうち前記支骨に沿うように配設される部分を湾曲させて保持することを特徴とする。
【００１０】
同構成では、中心軸の上端部に枢着される補助部材が、当該傘の開閉の際、紐状部材のうち支骨に沿うように配設される部分を湾曲させて保持する。このため、例えば、中心軸の上端部近傍において紐状部材を保持する場合と比較すると、当該傘の開閉時における紐状部材の湾曲角度を大きくすることができる。したがって、傘を閉じる際、ロクロを中心軸の下端部側に摺動させるために必要となる力を低減することができる。
【００１１】
本発明の第三態様は、第一態様または第二態様のいずれかにかかる傘であって、前記固定部は、前記紐状部材が弾性部材を介して前記ロクロまたは前記支骨に固定されていることを特徴とする。
【００１２】
同構成によれば、紐状部材が弾性部材を介してロクロまたは支骨に固定されているため、傘が閉じられるときに第一掛止部から引き出される紐状部材の寸法が、傘布の端部の寸法の変化量よりも一時的に大きくなっても、その分、弾性部材が伸長する。このため、傘を閉じる際、親骨が撓むことを抑制することができる。したがって、傘を閉じる際、ロクロを中心軸の下端部側に摺動させるために必要となる力を低減することができる。
【００１３】
本発明の第四態様は、第一態様または第三態様のいずれかにかかる傘であって、前記紐状部材は、前記第一掛止部および前記第二掛止部に加えて、前記中心軸の上端部に設けられた第三掛止部を貫通していることを特徴とする。
【００１４】
本発明の第五態様は、第一態様〜第四態様のいずれかにかかる傘であって、前記紐状部材は、前記中心軸または前記支骨の内部を貫通し、前記他端が前記ロクロに固定されていることを特徴とする。
【００１５】
同構成によれば、紐状部材が外部から視認されないため、意匠的に優れた傘を提供することができる。
【発明の効果】
【００１６】
本発明によれば、簡易な構成で、傘布が外部に垂れないよう折り畳みながら閉じることができる傘を提供することができる。
【図面の簡単な説明】
【００１７】
【図１】（ａ）は、従来の傘を示す全体図、（ｂ）は、本発明の第一実施形態にかかる傘を示す全体図。
【図２】同実施形態にかかる傘の一部を示す斜視図。
【図３】同実施形態にかかる傘の一部について閉じられる過程を示す斜視図。
【図４】（ａ）は、同実施形態にかかる開かれた状態の傘を示す全体図、（ｂ）は、閉じられる過程にある傘を示す全体図、（ｃ）は、閉じられた状態の傘を示す全体図。
【図５】本発明の第二実施形態にかかる傘の一部を示す斜視図。
【図６】（ａ）および（ｂ）は、同実施形態にかかる傘の一部について閉じられる過程を示す斜視図。
【図７】（ａ）は、本発明の第一実施形態にかかる傘の開かれた状態を示す模式図、（ｂ）は、同実施形態にかかる傘の閉じられる過程を示す模式図。
【図８】（ａ）は、従来の傘の開かれた状態を示す模式図、（ｂ）は、従来の傘の閉じられる過程を示す模式図。
【図９】（ａ）は、本発明の第二実施形態にかかる傘の開かれた状態を示す模式図、（ｂ）は、同実施形態にかかる傘の閉じられる過程を示す模式図。
【図１０】同実施形態にかかる傘の閉じられた状態を示す模式図。
【図１１】本発明の他の実施形態にかかる傘の一部を示す斜視図。
【図１２】本発明の他の実施形態にかかる傘の一部を示す斜視図。
【図１３】本発明の他の実施形態にかかる傘の一部を示す斜視図。
【図１４】本発明の他の実施形態にかかる傘の一部を示す斜視図。
【図１５】本発明の他の実施形態にかかる傘の一部を示す斜視図。
【発明を実施するための形態】
【００１８】
（第一実施形態）
以下、本発明にかかる傘１を具体化した第一実施形態を図１〜図４に基づいて説明する。
図１（ａ）に示されるように、従来の傘は、閉じたときに親骨の間から傘布が外部に垂れる。これに対して、本実施形態における傘１は、閉じるときに傘布１１が折り畳まれ、親骨１３の間に収容されるため、同図１（ｂ）に示されるように、傘布１１が外部に垂れない。以下、本実施形態にかかる傘１の構成を詳細に説明する。
【００１９】
同図１に示されるように、本実施形態にかかる傘１は、閉じられた状態にあるときに、ロクロ１５が傘布１１の端辺よりも持ち手１６側に位置するように構成されている。
【００２０】
図２に示されるように、本実施形態にかかる傘１は、心棒となる中心軸１２を中心に構成されている。中心軸１２の下端部には、持ち手１６が固定されている。また、中心軸１２の上端部には複数本の親骨１３が枢着されている。さらに、中心軸１２には、ロクロ１５が摺動自在に設けられている。親骨１３には、ロクロ１５に一端が枢着され、他端が親骨１３の略中間部に枢着される支骨１４が、親骨１３と等しい数だけ取り付けられている。親骨１３のうち中心軸１２に枢着される端部近傍を「親骨１３の上端部」、反対側の端部近傍を「親骨１３の下端部」とする。
なお、本実施形態にかかる傘１は、閉じられた状態にあるときに、ロクロ１５が傘布１１の端辺よりも持ち手１６側に位置するよう、中心軸１２の軸方向の寸法を従来の傘よりも長くなるように構成している。
【００２１】
親骨１３には、第一掛止部２１、第二掛止部２２および第三掛止部２３が、それぞれ所定の位置に設けられている。第一掛止部２１は、親骨１３の下端部に設けられ、第二掛止部２２は、支骨１４が枢着される部分の近傍に設けられ、第三掛止部２３は、親骨１３の上端部に設けられている。これら第一掛止部２１、第二掛止部２２および第三掛止部２３は、少なくとも一部が円形状または楕円形状に加工された針金や樹脂バンド等からなることが好ましいが、これに限られるものではない。
【００２２】
親骨１３の外側には、複数の貫通孔１１ａ（本発明の「貫通部」に相当）が形成された傘布１１が張設されている。なお、この貫通孔１１ａは、傘布１１の端辺近傍（本発明の「傘布の下端部」に相当）に、当該端辺に沿うように形成されている。
傘布１１には、紐状部材２０が配設されている。紐状部材２０は、傘布１１の内側と傘布１１の外側とを交互に通すように、換言すると、いわゆる縫うように、傘布１１の貫通孔１１ａを貫通している。紐状部材２０は、引っ張り強度が高く伸びが小さい糸状の材料からなるものが好ましい。例えば、スチール線等の金属線、ナイロン樹脂やポリエステル樹脂といった合成樹脂繊維または糸、ガラス繊維やボロン繊維といった無機物繊維等からなることが好ましいが、これに限られるものではない。また、断面形状が円形であるものが好ましいが、これに限られるものではない。
【００２３】
紐状部材２０は、一端（本発明の「固定部」に相当、以下、「端部２０ａ」）が支骨１４の略中間部に固定され、他端（以下、「端部２０ｂ」）は隣り合う親骨１３の下端部に固定されている。また、第一掛止部２１、第二掛止部２２および第三掛止部２３を介して一部が親骨１３に沿うように配設されている。紐状部材２０は、第一掛止部２１、第二掛止部２２および第三掛止部２３の内部を往復動可能に貫通している。以下、紐状部材２０のうち、端部２０ｂと第一掛止部２１との間の部分（「隣り合う親骨間を接続する部分」に相当）を可変部２０ｃとする。
【００２４】
なお、図面上は、一本の親骨１３にのみ第一掛止部２１、第二掛止部２２、第三掛止部２３および紐状部材２０が取り付けられており、傘布１１の一部分にのみ貫通孔１１ａが形成されているように記載しているが、これは図面が煩雑となるのを避けるためであり、実際の傘１では、全ての親骨１３に第一掛止部２１、第二掛止部２２、第三掛止部２３および紐状部材２０がそれぞれ設けられており、貫通孔１１ａは傘布１１の全周にわたって形成されている。
【００２５】
傘１は、ロクロ１５が中心軸１２の上端部近傍にあるときに開かれた状態となり、ロクロ１５が中心軸１２の下端部近傍にあるときに閉じられた状態となる。
図３に、傘１の一部について閉じられる過程を示す。傘１が閉じられるときには、ロクロ１５が中心軸１２の下端部に向かって摺動することに伴い、端部２０ａは、中心軸１２の下端部に向けて、すなわち図３に矢印Ａにて示す方向に引っ張られる。
【００２６】
このように端部２０ａが引っ張られると、紐状部材２０は、第三掛止部２３から端部２０ａに向けて引き出される。これに伴い、紐状部材２０は、矢印Ｂにて示すように、第一掛止部２１から引き出される。紐状部材２０は、端部２０ｂが隣り合う親骨１３の下端部に固定されているため、矢印Ｂにて示すように引き出されると、この隣り合う親骨１３の下端部が第一掛止部２１に向けて引っ張られ、可変部２０ｃは短くなる。
【００２７】
ところで、傘１が閉じられるときには、構造上、隣り合う親骨１３間の距離は徐々に小さくなる。上述したように紐状部材２０が第一掛止部２１から引き出されることで可変部２０ｃが短くなることに加えて、隣り合う親骨１３間の距離が小さくなると、傘布１１の貫通孔１１ａを貫通する紐状部材２０によって、傘布１１は蛇腹状に折り畳まれる。
【００２８】
図４（ａ）に開かれた状態の傘１、同図４（ｂ）に閉じられる過程にある傘１、同図４（ｃ）に閉じられた状態の傘１を示す。なお、同図４では、図面が煩雑になるのを避けるため、貫通孔１１ａおよび紐状部材２０は省略している。
同図４（ａ）に示されるように、傘１が開かれた状態にあるときには、傘布１１は親骨１３の間に張られた状態となる。同図４（ｂ）に示されるように、閉じられる過程では、傘布１１は徐々に蛇腹状に折り畳まれる。そして、同図４（ｃ）に示されるように、閉じられてしまうと、傘布１１は、蛇腹状に折り畳まれて親骨１３の間に収容される。
【００２９】
また、本実施形態にかかる傘１は、同図４（ｃ）に示されるように、閉じられた状態にあるときに、ロクロ１５が傘布１１の端辺よりも持ち手１６側に位置する。このため、傘１を閉じる際、使用者の手が、水滴の付着した傘布１１に触れることを抑制することができる。したがって、傘１を閉じる際、使用者の手が濡れることを抑制することができる。
【００３０】
上述した第一実施形態によれば、以下に記載する作用効果を奏することができる。
（１）本実施形態では、傘１が閉じられる際、ロクロ１５が下端部に向けて摺動することで、隣り合う親骨１３間の距離が小さくなる一方、紐状部材２０が端部２０ａに向けて第一掛止部２１から引き出される。紐状部材２０が第一掛止部２１から引き出されると、可変部２０ｃが短くなる。このように、可変部２０ｃが短くなるとともに、隣り合う親骨１３間の距離が小さくなると、傘布１１は、蛇腹状に折り畳まれながら親骨１３の間に収容される。このように、本実施形態によれば、簡易な構成で、傘布１１が外部に垂れないよう折り畳みながら閉じることができる傘１を提供することができる。
【００３１】
（２）また、閉じられた状態にあるときに、ロクロ１５が傘布１１の端辺よりも持ち手１６側に位置するよう、中心軸１２の軸方向の寸法を従来の傘よりも長くなるように構成している。このため、傘１を閉じる際、使用者の手が、水滴の付着した傘布１１に触れることを抑制することができる。したがって、傘１を閉じる際、使用者の手が濡れることを抑制することができる。
【００３２】
（第二実施形態）
以下、本発明を具体化した第二実施形態を上記第一実施形態と異なる点を中心に図５〜図１０に基づいて説明する。なお、第一実施形態にて説明した各要素と同一の要素についてはそれぞれ同一の符号を付しており、それら要素についての重複する説明は割愛する。
【００３３】
図５に本実施形態にかかる傘１の一部を示す。同図５に示されるように、本実施形態にかかる傘１には、中心軸１２の上端部近傍に棒状部材３０（本発明の「補助部材」に相当）が枢着されている。棒状部材３０は、強度が高く軽量であるスチールやステンレス等の金属、アクリルやポリカーボネート等の樹脂、またはセラミック等からなる棒材であるのが好ましいが、これに限られるものではない。また、図５では、図面が煩雑になるのを避けるため、棒状部材３０を一本のみ示しているが、実際の傘１では、親骨１３の数と等しい数の棒状部材３０が、各親骨１３の間に位置するように中心軸１２に枢着されている。
【００３４】
棒状部材３０は、端部３２が紐状部材２０を保持することができる形状となっており、この端部３２を紐状部材２０が貫通している。すなわち、棒状部材３０の一端は、紐状部材２０を保持している。本実施形態では、紐状部材２０を、第一掛止部２１および第二掛止部２２を介して親骨１３および支骨１４に沿うように配設しており、端部２０ａは支骨１４のロクロ１５近傍部分に固定している。
【００３５】
図６（ａ）に、閉じられ始めた状態の傘１の一部の斜視図を示し、同図６（ｂ）に、半分程度閉じられた状態の傘１の一部の斜視図を示す。
同図６（ａ）および（ｂ）に示されるように、傘１が閉じられるときには、ロクロ１５が中心軸１２の下端部に向かって摺動することに伴い、端部２０ａが矢印Ａにて示す方向に引っ張られる。
【００３６】
このように端部２０ａが引っ張られると、紐状部材２０は、第二掛止部２２から端部２０ａに向けて引き出される。これに伴い、紐状部材２０は、矢印Ｂにて示すように、第一掛止部２１（図５参照）から引き出される。
【００３７】
ところで、棒状部材３０は中心軸１２に枢着されている。また、棒状部材３０の端部３２は、傘１の開閉の際、紐状部材２０のうち支骨１４に沿うように配設される部分が湾曲するように当該紐状部材２０を保持する。このように紐状部材２０が端部３２によって保持されているため、同図６（ａ）に示されるように傘１が閉じられ始めた後、同図６（ｂ）に示されるように、傘１が更に閉じられるときには、紐状部材２０の湾曲角度（図６に示すθ２およびθ３）は、第一実施形態にて説明した傘１が閉じられる際の紐状部材２０の湾曲角度（図３に示すθ１）と比較して、大きい値となる。このため、本実施形態にて説明した傘１が閉じられる際における紐状部材２０と第二掛止部２２との間の摩擦抵抗および紐状部材２０と端部３２との間の摩擦抵抗は、第一実施形態にて説明した傘１が閉じられる際における紐状部材２０と第三掛止部２３との間の摩擦抵抗よりも小さくなる。したがって、傘１を閉じる際、ロクロ１５を中心軸１２の下端部側に摺動させるために必要となる力を低減することができる。
【００３８】
なお、図示はしないが、本実施形態における傘１が開かれる際の紐状部材２０の湾曲角度も、第一実施形態にて説明した傘１が開かれる際の紐状部材２０の湾曲角度よりも大きい値となる。
【００３９】
図７（ａ）に上記第一実施形態にて説明した傘１の開かれた状態の模式図を示し、同図７（ｂ）に同実施形態にて説明した傘１の閉じられる過程の模式図を示す。なお、同図７では、図面が煩雑になるのを避けるため、第二掛止部２２、貫通孔１１ａ等は省略する。また、同図７（ａ）および（ｂ）は、傘１を模式的に示すものであるため、同図７（ｂ）では、傘布１１が折り畳まれている様子を具体的に示してはいないが、実際には、傘布１１は蛇腹状に折り畳まれている。
【００４０】
同７（ａ）に示されるように、傘１が閉じられるとき、すなわちロクロ１５が中心軸１２の上端部と下端部との中間にあるときには、紐状部材２０が、第三掛止部２３および第一掛止部２１から所定寸法（Ｌ１ａ−Ｌ１ｂ、第一掛止部２１から引き出される紐状部材の寸法に相当、以下「第一寸法」）だけ引き出される。なお、紐状部材２０は、引っ張り強度が高い部材により構成されるため、紐状部材２０自身が伸長することはなく、第一掛止部２１から引き出される紐状部材２０の寸法と、第三掛止部２３から引き出される紐状部材２０の寸法は等しい寸法となる。
【００４１】
ところで、傘布１１は、一般に、親骨１３に接続される部分が最も長く、親骨１３から離れるにつれて短くなるように形成されている。すなわち、傘布１１は、親骨１３に挟まれる部分のうち、中間部分が最も短くなるように形成されている。このため、傘１を閉じると、同図７（ｂ）に示されるように、傘布１１の端辺は、中間部分が最も中心軸１２の上端部寄りに位置する。
【００４２】
図８（ａ）に従来の傘（紐状部材２０が取り付けられていない傘）の開かれた状態の模式図を示し、同図８（ｂ）に従来の傘の閉じられる過程の模式図を示す。
【００４３】
ここで、図８（ａ）および（ｂ）に示されるように、従来用いられている傘を閉じるときに、図７にて示した紐状部材２０を用いることなく、傘布を蛇腹状に畳んだとする。このとき、傘布を通るように親骨の下端部同士を至近距離でつなげる仮想線（図８（ａ）に示す仮想線Ｓ２ｂ、および図８（ｂ）に示す仮想線Ｓ２ａ）について考える。
仮想線Ｓ２ｂは、傘が開かれた状態にある場合に、傘布を通るように親骨の下端部同士を至近距離でつなげる仮想線を示しているため、仮想線Ｓ２ｂの寸法（Ｌ２ｂ）は、傘が開かれた状態にあるときの隣り合う親骨間の寸法に相当する。また、仮想線Ｓ２ａは、傘が閉じられる過程において、傘布を通るように親骨の下端部同士を至近距離でつなげる仮想線であるため、仮想線Ｓ２ａの寸法（Ｌ２ａ）は、傘が閉じられるにつれて短くなる。
このため、仮想線Ｓ２ｂと仮想線Ｓ２ａの寸法の差（Ｌ２ｂ−Ｌ２ａ、傘布の端部の寸法の変化量に相当、以下「第二寸法」）は、傘が畳まれるにつれて長くなる。
なお、同図８（ａ）および（ｂ）は、傘を模式的に示すものであるため、同図８（ｂ）では、傘布を折り畳んだ様子を具体的に示してはいないが、実際には、傘布を蛇腹状に折り畳んでいる。
【００４４】
第一実施形態にかかる傘１においては、親骨１３や紐状部材２０等の配設態様によっては、傘１が畳まれる際、上述した第一寸法が第二寸法よりも一時的に長くなることがある。この寸法の差は、傘１の開閉の際、親骨１３が撓む原因となる。第一実施形態にて説明した傘１においては、このような寸法の差が発生するため、使用者は、親骨１３を撓ませながら傘１を閉じなければならなかった。すなわち、傘１を閉じるときには、親骨１３を撓ませるための力が必要となっていた。
これに対して、本実施形態にかかる傘１では、第一掛止部２１から引き出される紐状部材２０の寸法（第二掛止部２２から引き出される紐状部材２０の寸法と等しい）と第二寸法との差を低減することができる。
【００４５】
図９（ａ）に本実施形態にて説明した傘１の開かれた状態の模式図を示し、同図９（ｂ）に同実施形態にて説明した傘１の閉じられる過程の模式図を示す。なお、同図９では、図面が煩雑になるのを避けるため、第一掛止部２１、貫通孔１１ａ等は省略する。また、同図９（ａ）および（ｂ）は、傘１を模式的に示すものであるため、同図９（ｂ）では、傘布１１が折り畳まれている様子を具体的に示してはいないが、実際には、傘布１１は蛇腹状に折り畳まれている。
【００４６】
同図９（ａ）および（ｂ）に示されるように、本実施形態にかかる傘１は、棒状部材３０が紐状部材２０を保持する。このため、第二掛止部２２から引き出される紐状部材２０の寸法（Ｌ１ａ１＋Ｌ１ａ２−Ｌ１ｂ）は、第一寸法よりも短くなる。
【００４７】
図１０に、閉じられた状態にある傘１の模式図を示す。同図１０に示されるように、中心軸１２の上端部と第二掛止部２２との間の距離をＬ３、傘１が閉じられたときの第二掛止部２２と棒状部材３０の端部３２との間の距離をＬ４とする。
棒状部材３０の長軸方向の寸法は、１〜Ｌ３のいずれかとすることが好ましく、（Ｌ３−Ｌ２ｂ／２＋α）とすることが最も好ましい。なお、Ｌ２ｂは、図１０には図示しないが、上述したように、傘１が開かれた状態にあるときに、傘布１１を通るように親骨１３の下端部同士を至近距離でつなぐ仮想線の寸法を示す。
特に、棒状部材３０の長軸方向の寸法を、（Ｌ３−Ｌ２ｂ／２＋α）とすると、距離Ｌ４を上述した寸法Ｌ２ｂの略１／２とすることができる。すなわち、距離Ｌ４を、開かれた状態の傘１を閉じられた状態とするまでに第一掛止部２１から引き出される紐状部材２０の寸法の略１／２とすることができる。
【００４８】
上述した第二実施形態によれば、上記作用効果（１）および（２）に加えて、以下に記載する作用効果を奏することができる。
（３）本実施形態では、棒状部材３０の端部３２にて紐状部材２０を保持しているため、傘１の開閉時における紐状部材２０の湾曲角度を大きくし、ロクロ１５を中心軸１２の下端部側に摺動させるために必要となる力を低減することができる。
【００４９】
（４）また、傘１が閉じられるのに伴って、第一掛止部２１から紐状部材２０が引き出される際、棒状部材３０が、紐状部材２０のうち支骨１４に沿うように配設される部分を保持することにより、第一掛止部２１から引き出される紐状部材２０の寸法が短くなるように調整することができる。このため、傘１を閉じる際、親骨１３が撓むことを抑制することができ、ひいては、傘１を閉じるために必要となる力を低減することができるようになる。
【００５０】
（その他の実施形態）
なお、この発明にかかる傘１は、上記実施形態にて例示した構成に限定されるものではなく、同実施の形態を適宜変更した例えば次のような形態として実施することもできる。また以下の各変形例は、上記実施形態についてのみ適用されるものではなく、異なる変形例同士を互いに組み合わせて実施することもできる。
【００５１】
・上記第一実施形態では、端部２０ａを直接支骨１４に固定するようにしたが、本発明はこれに限られるものではない。例えば、図１１に示されるように、端部２０ａに弾性部材２４を固定し、この弾性部材２４を介して端部２０ａを支骨１４に固定してもよい。本発明によれば、傘１が閉じられるときに第一掛止部２１から引き出される紐状部材２０の寸法が、傘布１１の端部の寸法の変化量よりも長くなる場合、弾性部材２４が伸長する。このため、傘１を閉じるとき、すなわちロクロ１５が中心軸１２の上端部と下端部の中間にあるときであっても、可変部２０ｃが短くなることを抑制することができ、ひいては、親骨１３が撓むことを抑制することができる。したがって、傘１を閉じるために必要となる力を低減することができる。
【００５２】
・図１２に示されるように、親骨１３および中心軸１２の内部に紐状部材２０を埋め込んでもよい。本変形例によれば、紐状部材２０が外部から視認されないため、意匠性に優れた傘１を提供することができる。また、第二実施形態にて説明したように、支骨１４に沿うように紐状部材２０を配設した場合、支骨１４の内部に紐状部材２０を埋め込んでもよい。
【００５３】
・図１３に示されるように隣り合う親骨１３の下端部に滑車２５を取り付けてもよい。本変形例では、親骨１３の下端部に、第一掛止部２１に加えて紐状部材２０の端部２０ｂが固定されている。すなわち、紐状部材２０は、隣り合う親骨１３と第一掛止部２１との間において、二重に配設される。このため、可変部２０ｃの寸法が、第一実施形態における可変部２０ｃの寸法の二倍となっている。本変形例によれば、滑車２５を取り付けない場合と比較して、第一掛止部２１から紐状部材２０を引き出すために必要となる力を低減することができる。このため、傘１を閉じるために必要となる力を低減することができる。
【００５４】
・図１４に示されるように、親骨１３の上端部ではなく、第二掛止部２２寄りに第三掛止部２３を設けてもよい。本変形例においても、上述した作用効果（１）および（２）に準じた作用効果を奏することができる。
【００５５】
・上述した各実施形態および変形例では、貫通孔１１ａに紐状部材２０を貫通させるようにしたが、本発明における紐状部材２０の配設態様はこれに限られるものではない。例えば、貫通孔１１ａを形成せず、傘布１１の端辺に沿って環状部材を複数取り付け、これら環状部材を貫通するように紐状部材２０を配設するようにしてもよい。
【００５６】
・上記第一実施形態では、端部２０ａを支骨１４に固定するようにしたが、本発明における紐状部材２０の端部２０ａの固定位置は支骨１４に限られるものではない。例えば、紐状部材２０の端部２０ａをロクロ１５に固定してもよい。また、上記第二実施形態では、端部２０ａを支骨１４のうちロクロ１５近傍に固定するようにしたが、本発明はこれに限られるものではなく、端部２０ａをロクロ１５に直接固定してもよい。
【００５７】
・上記第一実施形態において、第三掛止部２３を滑車とし、紐状部材２０を第三掛止部２３に巻き付けてもよい。本変形例によれば、第三掛止部２３と紐状部材２０との間の摩擦抵抗を低減することができる。また、上記第二実施形態において、棒状部材３０の端部３２に滑車を取り付け、紐状部材２０をこの滑車に巻き付けるようにしてもよい。本変形例によれば、端部３２と紐状部材２０との間の摩擦抵抗を低減することができる。またさらに、上記各実施形態において、第一掛止部２１および第二掛止部２２を滑車としてもよい。
【００５８】
・上記第二実施形態において、弾性部材２４を介して紐状部材２０の端部２０ａを支骨１４またはロクロ１５に固定してもよい。
【００５９】
・上記第二実施形態では、補助部材として棒状部材３０を用いるようにしたが、本発明における補助部材は棒状部材３０に限られるものではない。例えば、スチール線等の金属線、ナイロン樹脂等の合成樹脂繊維等からなる糸状の部材としてもよい。
【００６０】
・上記第二実施形態では、棒状部材３０の端部３２の形状を円形状または楕円形状としているが、端部３２の形状はこれに限られるものではなく、矩形形状等であってもよい。
【００６１】
・上記第二実施形態では、親骨１３の数と等しい数の棒状部材３０を中心軸１２に枢着するようにしたが、本発明において中心軸１２に枢着する棒状部材３０の本数は、親骨１３と等しい数でなくてもよい。例えば、図１５に示すように、親骨１３に沿って二本の紐状部材２０を配設し、一本の紐状部材２０は、一方の隣接する親骨１３の下端部に固定するとともに、他方の紐状部材２０は、他方の隣接する親骨１３の下端部に固定してもよい。このように、棒状部材３０に二本の紐状部材２０を保持させることで、棒状部材３０の本数を親骨１３の半数としてもよい。本変形例においても、上述した作用効果に準じた作用効果を奏することができる。
【００６２】
・上記第各実施形態では、ロクロ１５が傘布１１の端辺よりも持ち手１６側に位置するよう、中心軸１２を従来の傘よりも長くなるように構成したが、中心軸１２は従来と同様の寸法となるように構成してもよい。
【符号の説明】
【００６３】
１…傘
１１…傘布
１１ａ…貫通孔
１２…中心軸
１３…親骨
１４…支骨
１５…ロクロ
１６…持ち手
２０…紐状部材
２０ａ…端部
２０ｂ…端部
２０ｃ…可変部
２１…第一掛止部
２２…第二掛止部
２３…第三掛止部
２４…弾性部材
２５…滑車
３０…棒状部材
３２…端部
【要約】
【課題】簡易な構成で、傘布が外部に垂れないよう折り畳みながら閉じることができる傘を提供する
【解決手段】傘１は、中心軸１２の上端部に一端が放射状に枢着されて開閉される複数本の親骨１３と、親骨１３の外側に張設された傘布１１と、中心軸１２に摺動自在に設けたロクロ１５と、ロクロ１５に一端が枢着されて他端が親骨１３の略中間部に枢着された親骨と等しい数の支骨１４と、親骨１３の下端部に設けられた第一掛止部２１と、第一掛止部２１に掛止され、少なくとも一部が親骨１３に沿うように配設される紐状部材２０を備えている。傘布１１の下端部には複数の貫通部１１ａが形成されている。紐状部材２０は、一端が隣り合う親骨１３の下端部に固定され、他端はロクロ１５または支骨１４に固定されており、少なくとも一部が貫通部１１ａを貫通している。
【選択図】図３【図１】
0005461649.tif 000002
【図２】
0005461649.tif 000003
【図３】
0005461649.tif 000004
【図４】
0005461649.tif 000005
【図５】
0005461649.tif 000006
【図６】
0005461649.tif 000007
【図７】
0005461649.tif 000008
【図８】
0005461649.tif 000009
【図９】
0005461649.tif 000010
【図１０】
0005461649.tif 000011
【図１１】
0005461649.tif 000012
【図１２】
0005461649.tif 000013
【図１３】
0005461649.tif 000014
【図１４】
0005461649.tif 000015
【図１５】
0005461649.tif 000016